(57)【特許請求の範囲】
【請求項１】
下部基盤に立てられたダイバーに案内されて、下部基盤の上部に成形機上下方向にして昇降自在に設けられた型締板と、前記ダイバーに案内されて、前記型締板の下方で成形機上下方向にして昇降自在に設けられた中間基盤と、前記中間基盤の下部に、成形機上下方向を回転軸方向にして回転自在に取り付けられ、下面三方それぞれに、容器口部形成用のリップ型を有する回転板と、前記中間基盤の上部の中央に位置し、前記回転板を１２０度ずつ間欠的に回転させてリップ型を三つの停止位置に停止可能とした回転駆動モータとを備え、前記リップ型の前記停止位置を射出成形部、延伸ブロー成形部、取出部とした射出延伸ブロー成形機により容器を成形するに際し、
前記射出延伸ブロー成形機の前記射出成形部には、射出装置側に位置するキャビティ型であって、成形機に組み入れられたホットランナー装置のホットランナーノズルが底部に臨むように配置されている下型と、成形機上下方向にして昇降自在とされて、前記射出成形部に位置したリップ型を通って下降し、このリップ型が重ねられた下型とで内部にプリフォーム形成空間を有する射出型を形成するコア型である上型と、前記上型とこの上型が通るリップ型を重ねた前記下型とを型締めする型締装置とが備えられていて、
前記上型と回転板の回転で射出成形部に対応位置した前記リップ型と前記下型とからなる前記射出型に溶融樹脂を射出して、プリフォームの成形を行ない、
前記射出成形部で成形されてリップ型で保持されている前記プリフォームを、回転板の前記回転にて前記延伸ブロー成形部に搬送し、この延伸ブロー成形部でのプリフォームに対する延伸とブローにて容器の成形を行ない、
前記延伸ブロー成形部で成形されてリップ型で保持されている前記容器を、回転板の前記回転にて前記取出部に搬送し、この取出部にてリップ型から前記容器を離型する容器の成形方法において、
前記射出延伸ブロー成形機のホットランナー装置に、タイマーのカウントアップした値が設定カウント値に到達した時に射出の動作をする射出装置のノズルが連結固定されていて、
前記タイマーのカウント開始点が、前記回転板が回転する段階、或いは前記回転板の回転を止めて回転不能に固定する段階、或いは前記上型と下型との型締めが開始される段階のいずれかに設定されていることを特徴とする射出延伸ブロー成形機による容器の成形方法。
【発明の詳細な説明】
【技術分野】
【０００１】
本発明は、射出延伸ブロー成形機による容器の成形に際し、成形サイクルを短くする成形方法に関するものである。
【背景技術】
【０００２】
原料のペレットからプリフォームを成形し、続いてこのプリフォームから製品の容器（例えば瓶形状の容器）の成形までを一連にして行なう成形機としては、従来から射出延伸ブロー成形機がある。
【０００３】
（従来成形機の概略）
上記射出延伸ブロー成形機の一つの形態として、射出装置から溶融樹脂の射出がなされてプリフォームを成形する射出成形部と、プリフォームを延伸するとともにブローをして製品形状とする延伸ブロー成形部と、延伸ブロー成形部で形成された容器を成形機外へと送り出す取出部との主要な三つの部分が一つの成形機内での三方に構成されている成形機がある。
【０００４】
そして前記射出成形部での成形品をつぎの延伸ブロー成形部に搬送するとともに、その延伸ブロー成形部での成形品をつぎの取出部に搬送する容器口部形成用のリップ型を回転板に三か所にして設け、回転板が回転して前記リップ型が射出成形部と延伸ブロー成形部と取出部とを順に旋回移動することで、容器が連続的に生産できるようにしている。
【０００５】
（射出成形部）
（回転板の回転工程）
射出延伸ブロー成形機の上記射出成形部の動きを概略的に説明する。上記回転板は１２０度ずつ間欠的に回転するものであり、回転板の回転工程で回転板が１２０度回転することで、リップ型が１２０度の回転角度分にして回転板回転軸中心周りに旋回移動する。また射出成形部には成形機の射出装置側にキャビティ型である下型があり、この下型の上方には成形機上下方向に昇降可能にした上型がある。
【０００６】
（回転板の固定工程）
そして、回転板が１２０度回転した後に、その回転を止めて回転板が回転しないように一時的に位置を固定する回転板の固定工程に移り、回転板の回転停止によって、旋回移動にて射出成形部の上型の昇降方向と直交する方向に移動することとなる前記リップ型を、この射出成形部に対応位置させるようにしてする。
【０００７】
（上型下型の型締め工程）
上記回転板の固定工程の後は上型下型の型締め工程となり、リップ型を射出成形部に対応位置させた回転板は下降してリップ型が上記下型に重ね合わされ、また上型もリップ型を通して下降し、このリップ型を間に配した状態で上型と下型とを型締め（型閉じ）して射出型を形成し、さらに高圧の型締め力を付与する。
【０００８】
（溶融樹脂の送り出し工程）
射出型に対して高圧の型締め力が加えられた後は、溶融樹脂の送り出し工程になるものであって、前記射出型へ溶融樹脂の射出を行なってプリフォームの成形を行なうようにしている。
【０００９】
（上型下型の型開き工程）
プリフォームの成形後は上型下型の型開き工程となり、上型がリップ型から抜け出るように上方に移動して上型と下型との型開きが行なわれ、また下型側から回転板が上昇して、この回転板にあるリップ型で口部が保持されたプリフォームを下型から離型する。
【００１０】
次に回転板は前記上昇後に１２０度回転して再度停止する。回転板の回転後の前記停止により射出成形部に対応位置していた上記リップ型は次成形を行なうステーションである延伸ブロー成形部に対応位置し、他のリップ型の内の一つであって延伸ブロー成形部に対応位置していたリップ型は取出部に対応位置し、残りのリップ型であって取出部に対応位置していたリップ型は射出成形部に対応位置する。このときの動作は、上述した回転板の回転工程と回転板の固定工程である。
【００１１】
（延伸ブロー成形部）
延伸ブロー成形部では上記リップ型でプリフォームを保持した回転板が下降する。このときの回転板の下降の動作は、上記射出成形部では上型下型の型締め工程における回転板の下降の動作となる。そして、型締めされた状態のブロー型にリップ型を上方から組み入れてプリフォームをブロー型の内部に位置させ、このブロー型に対する高圧の型締め力を付与してから、延伸ロッドによる延伸とブローとで製品の容器の成形を行なう。
【００１２】
この後、ブロー成形済み容器はブロー型の型開き、回転板の上昇によってリップ型に保持された状態でブロー型から離型する。このときの回転板の上昇の動作は、射出成形部では上型下型の型開き工程における回転板の上昇の動作となる。
【００１３】
次に回転板は上記上昇後に１２０度回転して再度停止する。前記停止により延伸ブロー成形部に応位置していた上記リップ型は次ステーションである取出部に対応位置し、他のリップ型の内の一つであって取出部に対応位置していたリップ型はその次ステーションである射出成形部に対応位置し、残りのリップ型であって射出成形部に対応位置していたリップ型はその次ステーションである延伸ブロー成形部に対応位置する。このときの動作は、上述した回転板の回転工程と回転板の固定工程である。
【００１４】
（取出部）
上記取出部ではリップ型を型開きしてブロー成形済み容器の口部を離型させて、製品である容器を成形機外へと送り出すようにし、リップ型は再度型締め（型閉じ）される。このようにリップ型が射出成形部と延伸ブロー成形部と取出部とに順に対応位置するようにして旋回移動して、容器が連続的に成形される。
【００１５】
上述した現状の射出延伸ブロー成形機を用いた容器の成形においては、射出成形部に要する動作時間を縮めて成形サイクルを短くし、生産効率を高めるようにすることが望まれている。
【先行技術文献】
【特許文献】
【００１６】
【特許文献１】特開平０３−１４２２２０号公報
【発明の概要】
【発明が解決しようとする課題】
【００１７】
しかしながら上述した従来の射出延伸ブロー成形機では、上記射出成形部で要している動作時間を縮めることが困難であり、その点を次に述べる。
【００１８】
図１２と図１３は、射出延伸ブロー成形機の射出成形部に上記下型の下方となるようにして組み入れられているホットランナー装置ａと射出装置ｂとが示されていて、ホットランナー装置ａのメインノズルｃにおける樹脂注入口ｄに射出装置ｂのノズルｅを当接させている。射出装置ｂ自体はガイドレールｆを介して台盤上に移動可能に配置され、図示のように一端固定の油圧シリンダｇが射出装置ｂに連結されている。
【００１９】
図１４はホットランナー装置ａと射出装置ｂのノズルｅとの当接を断面で示しているとともに、図１５はホットランナー装置ａの吐出側にて上記上型ｈと下型ｉとリップ型ｊとからなる射出型ｋが形成された状態を示している。図示しているように射出装置ｂはノズルｅをホットランナー装置ａの横方向から樹脂注入口ｄ（メインノズル）に当接させて溶融樹脂をホットランナー装置ａに射出する。ホットランナー装置ａではランナーが分岐されて複数のホットランナーノズルｌが起立し、それぞれのゲートが下型ｉの底部に臨み、射出型ｋそれぞれで形成されるプリフォーム形成空間に、起立したホットランナーノズルｌから溶融樹脂を射出するようにしている。
【００２０】
射出成形部では定時間毎に射出装置から高圧の射出圧にて溶融樹脂の射出が行なわれるが、射出装置のノズルをホットランナー装置の樹脂注入口に高い圧力で当接させた状態としておかないと、ノズルとメインノズルとの間から溶融樹脂が漏れ出る可能性がある。
【００２１】
そのために射出のタイミングに合うように、射出装置のノズルを前進させる方向で油圧シリンダを動作させて、ノズルの上記樹脂注入口に対する当接の度合を高めてその状態を必要時間の間保つノズルタッチを行ない、ノズルとメインノズルとの間からの樹脂漏れや射出型内への射出の圧力が低下しないようにする。
【００２２】
（ノズルタッチで傾斜）
上述したように射出延伸ブロー成形機では、水平方向にして射出装置のノズルをホットランナー装置のメインノズルに当接させている。また、ホットランナー装置のホットランナーノズルそれぞれは起立している。そして射出のタイミングに合うように上記ノズルタッチを行なうと、ホットランナー装置がノズルからの押し込みを受けて変形し、ホットランナーノズルそれぞれが傾くようになる。このようにホットランナーノズルがノズルタッチごとに傾斜することは、射出成形部での成形においては好ましいことではない。
【００２３】
（高圧型締め後にノズルタッチ）
ホットランナーノズルが傾斜することは、下型が上記上型と型閉じされていない単独の状態のときにあっては、その下型の位置が変化することとなる。この下型が単独で位置が変化した場合、下降する上型などとの位置合わせが不良となる。そのため、従来の射出延伸ブロー成形機では、上型下型の型締め工程を経た後にノズルタッチを行なっている。
【００２４】
具体的には、回転板が下降してリップ型を下型に重ね合わせるとともに、型締装置から型締め力を加えてリップ型を通して上型が下降して下型の所要部分に入る型締めを行なって射出型を形成し、この射出型を組んでから型締装置からの型締め力を高圧の型締め力に切り換えてその高圧の型締め力を付加することで、上型下型の型締め工程が完了する。この後、ノズルが前進する方向でホットランナー装置への当接圧が高くなるように油圧シリンダが動作し、ノズルがメインノズルに高い圧力で当接させて射出を行なうようにしている。
【００２５】
以上の理由から、射出延伸ブロー成形機の射出成形部でのプリフォームの成形は、上型下型の型締め工程の後にノズルタッチを行なっている。しかしながら、上型下型の型締め工程の後にノズルタッチを行なうことで、つぎに示す不具合を招いているのが現状である。
【００２６】
（断熱紙が摩耗）
上記ホットランナーノズルはランナー内の樹脂の溶融状態を保つために加熱手段を備えている。一方、射出型の下型はプリフォーム形成空間に充填された溶融樹脂を所定の温度までに低下させる役割も有している。そのため、ホットランナーノズルから下型に熱が伝わらないように、ホットランナーノズルの上端に断熱紙ｍが取り付けられている。（図１５参照）
【００２７】
そして、上述したように高圧の型締め力を型締装置から射出型側に加えられた際、ホットランナーノズルを断熱紙を介して下型が押して断熱紙が高い圧力で挟み付けられる状態となる。このときノズルタッチにてホットランナーノズルが僅かならも傾斜してその上端が位置ずれして断熱紙が擦れるようになり、繰り返しのノズルタッチで前記断熱紙が摩耗する。そのため断熱紙を頻繁に交換しなければならない。
【００２８】
（センターずれが発生）
また、型締め力を高圧の型締め力に切り換えてからのノズルタッチによってホットランナーノズルが僅かながらも傾斜し、そのためホットランナーノズルのゲートと下型でのゲート対応部分とでセンターずれが発生し、樹脂の充填性が落ちる場合がある。
【００２９】
（専用のアクチュエータが必要）
ノズルタッチしたときには、ノズルからメインノズルに亘って樹脂の流路が繋がっていなければならず、メインノズルに向けてノズルを前進させる方向となるようにノズルを樹脂注入口に案内し、必要時間の間、その押圧力を保持する専用のアクチュエータが必要となっている。
【００３０】
（射出の待ち時間が長い）
上記射出延伸ブロー成形機による成形では、上型下型の型締め工程の後にノズルタッチを行ない、そのノズルタッチの後に溶融樹脂の射出を行なっている。特に上型下型の型締め工程では、次の順序で動作が順に進むように構成されている。
【００３１】
まず、回転板が下降してリップ型を下型に重ね合わせるようにするとともに、上型を前記リップ型に通すように下降させ、上型のコアの部分が下型のキャビティの部分に入り込むように型締板を介して型締装置側から型締め力を受けるようにしながら、その上型がリップ型の上に重ね合わされる。前記型締め力を受けながら上型とリップ型と下型とで射出型が構成されると、型締装置では型締め力を高圧の型締め力に切り換えてその高圧の型締め力を射出型に加える。
【００３２】
上記型締装置の型締め力が高圧の型締め力に切り換えられたことを条件として、上記ノズルをホットランナー装置に向けて前進する方向に押圧力が加わるように油圧シリンダを動作させる。ノズルの前進方向での圧力が上昇することでノズルタッチの動作が完了する。
【００３３】
一方、射出装置はタイマーにより射出の動作が制御されるものであり、前記タイマーのカウントアップした値が設定カウント値に到達した時に射出の動作をするように設けられている。そして、この射出延伸ブロー成形機での射出型に向けて溶融樹脂を送り出すようにした前記射出装置にあっては、前記ノズルタッチが完了したときを、タイマーのカウントを開始させるカウント開始点としており、このカウント開始点から、カウントアップした値が事前に設定された設定カウント値に到達するまでを、射出開始の段階として備えている。即ち、ノズルタッチの動作が完了した後に前記射出開始の段階に移る構成としている。
【００３４】
カウントアップした値が設定カウント値に到達すれば、射出装置が動作する射出の段階に移るように構成されており、この射出装置が射出する動作の継続時間も予め設定されている。
【００３５】
このように上型と下型とを高圧の型締め力にて型締めする段階とその段階に続くノズルタッチと順にたどらなければ射出が行なえず、射出の待ち時間が長くなっている。そして、プリフォームを成形する射出成形部での動作時間が、延伸ブロー成形部での動作時間と取出部での動作時間との何れよりも長い時間を要するものであるため、射出成形部での動作時間で、射出延伸ブロー成形機の成形サイクルが決まってしまうのが現状である。
【００３６】
そこで本発明は上記事情に鑑み、ノズルタッチを省いて射出装置の射出が早期の段階で行えるようにすることを課題とし、射出延伸ブロー成形機の成形サイクルを短縮することを目的とするものである。
【課題を解決するための手段】
【００３７】
本発明は上記課題を考慮してなされたもので、下部基盤に立てられたダイバーに案内されて、下部基盤の上部に成形機上下方向にして昇降自在に設けられた型締板と、前記ダイバーに案内されて、前記型締板の下方で成形機上下方向にして昇降自在に設けられた中間基盤と、前記中間基盤の下部に、成形機上下方向を回転軸方向にして回転自在に取り付けられ、下面三方それぞれに、容器口部形成用のリップ型を有する回転板と、前記中間基盤の上部の中央に位置し、前記回転板を１２０度ずつ間欠的に回転させてリップ型を三つの停止位置に停止可能とした回転駆動モータとを備え、前記リップ型の前記停止位置を射出成形部、延伸ブロー成形部、取出部とした射出延伸ブロー成形機により容器を成形するに際し、
前記射出延伸ブロー成形機の前記射出成形部には、射出装置側に位置するキャビティ型であって、成形機に組み入れられたホットランナー装置のホットランナーノズルが底部に臨むように配置されている下型と、成形機上下方向にして昇降自在とされて、前記射出成形部に位置したリップ型を通って下降し、このリップ型が重ねられた下型とで内部にプリフォーム形成空間を有する射出型を形成するコア型である上型と、前記上型とこの上型が通るリップ型を重ねた前記下型とを型締めする型締装置とが備えられていて、
前記上型と回転板の回転で射出成形部に対応位置した前記リップ型と前記下型とからなる前記射出型に溶融樹脂を射出して、プリフォームの成形を行ない、
前記射出成形部で成形されてリップ型で保持されている前記プリフォームを、回転板の前記回転にて前記延伸ブロー成形部に搬送し、この延伸ブロー成形部でのプリフォームに対する延伸とブローにて容器の成形を行ない、
前記延伸ブロー成形部で成形されてリップ型で保持されている前記容器を、回転板の前記回転にて前記取出部に搬送し、この取出部にてリップ型から前記容器を離型する容器の成形方法において、
前記射出延伸ブロー成形機のホットランナー装置に、タイマーのカウントアップした値が設定カウント値に到達した時に射出の動作をする射出装置のノズルが連結固定されていて、
前記タイマーのカウント開始点が、前記回転板が回転する段階、或いは前記回転板の回転を止めて回転不能に固定する段階、或いは前記上型と下型との型締めが開始される段階のいずれかに設定されていることを特徴とする射出延伸ブロー成形機による容器の成形方法を提供して、上記課題を解消するものである。
【発明の効果】
【００３８】
本発明によれば、従来の高圧型締めの動作の完了とノズルタッチの動作の完了とを待たずに射出装置に対して射出を行なわせることができる。そしてこの射出装置の射出をカウントアップした時点で行なうためのカウント開始点を、回転板が回転する段階、回転板を止めて固定する段階、上型下型の型締めが開始される段階の何れかとするので、射出装置の射出を前記段階にオーバーラップした状態で行える。
【００３９】
即ち、従来の上型とリップ型と下型とを組んで射出型が形成されるまでの時間と、その射出型に高圧の型締め力を加える切り換えが完了するまでの時間と、射出装置のノズルによるホットランナー装置のメインノズルを押圧する動作の完了（ノズルタッチの完了）までの時間とからなる待ち時間が省かれる。よって射出成形部においてプリフォームを成形する時間が短くなり、成形機の成形サイクルを短縮して生産性を向上させることができる。
【００４０】
そしてノズルタッチを行なわないので、上記断熱紙の交換期間を長くすることができる。またホットランナーノズルのゲートと下型のゲート対応部分とのセンターずれ、専用のアクチュエータを必要とする点などの不具合が生じないようになる。
【００４１】
さらに上型が下型に下がる途中での射出が行なえることとなり、その途中からの射出は射出型が完全に閉まっていない状態で射出することであって、型同士の間の隙間も多いため、溶融樹脂の流動抵抗が減って充填性が向上する。また上型と下型との間のガスや空気の排出も良好になる。
【００４２】
そして上記充填性の向上がガスの排出を良好にすることにも相乗効果を及ぼし、エアベントの詰まりも低減する。よってこのエアベントのメンテナンス周期が長くなる。さらに充填性の向上による樹脂流動抵抗の低下で、射出装置の射出ラムの径を小さくすることが可能となる。
【図面の簡単な説明】
【００４３】
【図１】本発明を実施する射出延伸ブロー成形機を示すもので、（ア）は射出成形部を正面に見た状態を示す説明図、（イ）は射出成形部を側方に見た状態を示す説明図、（ウ）は射出成形部と延伸ブロー成形部と取出部との配置を示す説明図である。
【図２】接続されたホットランナー装置と射出装置とを示す説明図である。
【図３】ホットランナー装置のメインノズルと射出装置のノズルとの連結固定を示す説明図である。
【図４】同じくメインノズルとノズルとの連結固定を断面で示す説明図である。
【図５】回転板の固定を示すもので、（ア）はロックピン下降前の状態を示す説明図、（イ）はロックピン下降後の状態を示す説明図である。
【図６】上型下型の型締めを示すもので、（ア）は上型が下降する時点を示す説明図、（イ）は上型の下降後の状態を示す説明図である。
【図７】溶融樹脂の送り出し工程と他工程とのオーバーラップ状態を示す説明図である。
【図８】上型下型の型開きを示すもので、（ア）は上型が上昇する時点を示す説明図、（イ）は上型の上昇後の状態を示す説明図である。
【図９】ブロー型の型締め工程を示すもので、（ア）はブロー型が型締め方向に移動する状態を示す説明図、（イ）はブロー型が型締めされた状態を示す説明図である。
【図１０】延伸ブロー工程を示すもので、（ア）は延伸ブロー時を示す説明図、（イ）はブロー排気を示す説明図である。
【図１１】ブロー型の型開き工程を示すもので、（ア）はブロー型が開き始める前の状態を示す説明図、（イ）はブロー型が型開きした状態を示す説明図である。
【図１２】ノズルタッチしたホットランナー装置と射出装置とを示す説明図である。
【図１３】ホットランナー装置のメインノズルと射出装置のノズルとのノズルタッチ部分を示す説明図である。
【図１４】同じくメインノズルとノズルとのノズルタッチを断面で示す説明図である。
【図１５】射出型を断面で示す説明図である。
【発明を実施するための形態】
【００４４】
つぎに本発明を図１から図１１に示す実施の形態に基づいて詳細に説明する。図１は射出延伸ブロー成形機１を示していて、該射出延伸ブロー成形機１は、下部基盤２に立てられたタイバー３に案内されて下部基盤２の上部に昇降自在とされた中間基盤４と、前記中間基盤４の下面に回転自在にして取り付けられて、下面三方それぞれに対の割型の組み合わせからなる容器口部形成用のリップ型５を有する回転板６と、前記中間基盤４の上部の中央に位置し、回転板６を１２０度ずつ間欠的に回転させて三つの前記リップ型を停止可能とした回転駆動モータ７とを備えているものである。
【００４５】
そして、前記回転板６の回転によりその回転板の中心を回転軸中心として旋回移動することとなるリップ型５の停止位置を、図１の（ウ）で示すように射出成形部８、延伸ブロー部９、取出部１０としていて、これら三つのステーションが１２０度の回転角ごとに設けられている。なお、図１（ウ）は説明を容易にするために前記三つのステーションの配置を概略的に示しているものである。
【００４６】
（射出成形部）
射出延伸ブロー成形機１の上記射出成形部８は、下部基盤２に配置されたギャビティ型である下型１１と、この下型１１の上方で昇降自在とされていて、射出成形部８に対応位置して停止した前記リップ型５を通して下降する上型１２と、リップ型５を間にして上型１２と下型１１とを型締めする型締装置１３とを備えている。射出成形部８に対応位置したリップ型５は上型１２の下降線上に位置した状態で回転板６とともに下降し、下型１１に重ね合わされるものである。
【００４７】
図１の（ウ）で示す射出成形部８に対応して後述の射出装置が配置されていて、上記下型１１が射出装置側に位置するものである。なお、射出装置側に位置する、とは射出装置に取り付けられているという意味ではなく、後述の型締装置側に位置して可動型である上記上型と射出装置側に位置する下型との配置関係を表すものであり、また、上方から三つのステーションの配置を見たときに射出成形部８が射出装置に相対した配置であり、その射出成形部８に下型１１が設けられていて、よって下型１１が射出装置側に位置するものとなる。
【００４８】
上型１２は、型締装置１３の動作によって下降する型締板１４から型締め力を受けながら、また下降するリップ型５を通るようにしながら下降する。さらに上型１２のコア部分（下垂した凸部）が下型１１に重ね合わされたリップ型５を通って下型１１のキャビティ部分（凹部）に入り込む。このようにして上型１２がリップ型５に重ね合わされ、型締板１４を介した型締め力が型締装置１３から付加された状態で上型１２とリップ型５と下型１１とからなる射出型１５が形成されるようにしている。（図１５参照）
【００４９】
上記型締装置１３は上述したように型締板１４を介した型締め力を上型１２に上方から加えることで上型１２を押し下げていて、下降した上型１２とリップ型５と下型１１とで上記射出型１５が構成されると前記型締め力を高圧の型締め力に切り換え、三型を組み合わせてなる射出型１５に高圧の型締め力を加えることができるようにしている。
【００５０】
（延伸ブロー成形部）
延伸ブロー成形部９は、開閉する対のブロー型１６と、このブロー型１６に対して型締めと型開きとを行なわせ、型締め力を付加して型締めしたブロー型１６に対してその型締め力から高圧の型締め力に切り換えて付加するブロー型締シリンダ１７と、延伸ロッドと閉じたブロー型内に向けて延伸ブローエアを供給する延伸ブロー機構とを備えている。（図９、図１０参照）
【００５１】
回転板６の回転が停止して延伸ブロー成形部９に対応位置したリップ型５は前記回転板６の下降によって、型締め状態のブロー型１６に上方から入れられ、対のブロー型１６の上縁同士でこのリップ型５が挟み込みされる状態になる。そして、リップ型５がブロー型１６にて挟み込みされた形態となった後に上述した高圧の型締め力への切り換えが行なわれ、その後に延伸ブロー装置による動作が行なわれるように設けられている。
【００５２】
（取出部）
上記取出部１０はこの取出部１０に停止して対応位置したリップ型５を型開きさせる部分であり、リップ型５の型開きによって後述のように成形済みの容器の口部を離型して、その容器を成形機外へと送り出せるようにしている。なお、成形済み容器の口部が離型した後はリップ型５を型締めする。
【００５３】
（ホットランナー装置と射出装置）
図２は射出延伸ブロー成形機の射出成形部における下型の下部に組み入れられているホットランナー装置１９と射出装置２０とを示し、図３はホットランナー装置１９と射出装置２０との接続部分を示している。
【００５４】
射出装置２０の設置形態は、上述した従来と同じようにガイドレール２１を介して台盤上に配置され、一端固定の油圧シリンダ２２が射出装置２０に連結されている。
【００５５】
なお、本実施の形態は後述するようにノズルタッチを行なわずに射出するものであり、この設置形態としている理由は、メンテナンスを行なう際、射出装置２０をホットランナー装置１９から切り離して、油圧シリンダ２２の動作でこの射出装置２０を後退させる必要があるからである。
【００５６】
図２と図３とに示されているようにホットランナー装置１９と射出装置２０とはその間で連結固定されている。図４はホットランナー装置１９と射出装置２０のノズル２３との連結固定の状態を断面で示している。図示されているようにノズル２３とホットランナー装置１９におけるメインノズル２５に係合する連結フランジ２６を合わせてボルト止めして両者を固定している。
【００５７】
ノズル２３の吐出口とメインノズル２５の注入口とを一致させて離接すること無しに強固に連結されていて、ノズル２３側から送り出される溶融樹脂がメインノズル２５に入って、ホットランナー装置１９での分岐されたランナーを経て起立した複数のホットランナーノズル２７から上記下型１１の底部に至るまでの樹脂の流路が常時形成された状態としている。
【００５８】
回転式射出延伸ブロー成形機の動作を以下に説明する。
（回転板の回転工程  図１）
図１に示すように型締板１４と上型１２と中間基盤４とが上方の待機高さ位置にある状態で、回転板６が１２０度回転する。この回転板６が回転し始めるときから回転板６が１２０度回転して停止するまでを回転板の回転工程としており、例えば射出成形部８で成形されたプリフォームを保持するリップ型５は延伸ブロー成形部９に移り、延伸ブロー成形部９で成形されたブロー成形済みの容器を保持するリップ型５は取出部１０に移り、取出部１０にあったリップ型５は射出成形部８に移る。
【００５９】
（回転板の固定工程  図５）
つぎに回転板６の回転が止まることで回転板の回転工程から回転板の固定工程に移る。この回転板の固定工程では回転板６が不用意に回転することのないように固定して、上記リップ型５を射出成形部８、延伸ブロー成形部９、取出部１０での所定位置に適正に対応位置するようにするものであり、射出成形部８にあってはリップ型５が、上型１２の下降線上に対応位置した状態で旋回移動方向に位置ずれしないように固定する。
【００６０】
具体的にはリップ型５を射出成形部８に対応位置させた回転板６の回転止めとして、中間基盤４に設けられた回転板ロックシリンダ２８が動作してロックピン２９が下降し、このロックピン２９が回転板６の所要部分に設けられたロックピンブッシュ３０に係止して回転板６が回転することのないように固定する。
【００６１】
（上型下型の型締め工程  図６）
上記ロックピン２９による回転板６の固定が行なわれると回転板の固定工程から上型下型の型締め工程に移る。この型締め工程では前記固定工程での回転板６の固定が完了した後に中間基盤４の下降によって回転板６が下降する。またその上にある上型１２が型締板１４の下降にて押し下げられながら、即ち、型締板１４を介した型締装置１３の型締め力を受けながら下降し、リップ型５の容器口部成形部分の内側を通るように下がる。
【００６２】
そして下型１１にリップ型５を重ね合わせるとともに、上型１２のコア部分がリップ型５を通りながら下型１１の内側へと入り込む形でリップ型５に重ね合わせ、上型１２とリップ型５と下型１１とを組み合わせて型締装置１３からの型締め力を受けた状態の射出型１５が得られるようにしている。射出型１５が得られると型締装置１３は型締め力を高圧の型締め力に切り換えてこの高圧の型締め力を射出型１５に加えるように設けられている。上型下型の型締め工程は型締装置での高圧の型締め力への切り換えが完了したときにこの工程が終了する。
【００６３】
（溶融樹脂の送り出し工程）
上記射出装置２０は図示しない制御部が備えているタイマーにて射出の動作が制御されるように設けられているものであり、タイマーがカウントアップして、そのカウントアップした値が事前に設定された設定カウント値に到達したとき（一致したとき）に射出をする射出装置とされている。
【００６４】
上記制御部が備えるタイマーにあっては、カウント開始点を、回転板６が回転する段階、回転板６の回転が止まって回転不能に固定する段階、或いは前記上型と下型との型締めが開始される段階のいずれかに設定可能とされているものである。
【００６５】
カウントアップを始めるカウント開始点３１を、回転板６が回転する段階、回転板６の回転が止まって回転板６が回転不能に固定される段階、前記上型と下型との型締めが開始される段階のいずれかに設定しているので、カウント開始点３１から始まるカウントアップの時間Ａと射出の時間Ｂとからなる溶融樹脂の送り出し工程Ｃの始めの部分を、上型下型の型締め工程Ｄにオーバーラップさせ、またはこの上型下型の型締め工程Ｄより前工程である回転板の固定工程Ｅまでに及ぶようにオーバーラップさせ、さらには前記回転板の固定工程Ｅより前工程である回転板の回転工程Ｆまでに及ぶようにオーバーラップさせることができる。よって射出の待ち時間が極めて短くなり、従来に比べて射出成形部８で射出完了となるまでの時間が短縮できる。
【００６６】
図７に示すように本実施の形態にあっては、上型と下型との型締めが開始される段階（上型下型の型締め工程Ｄの始端）にカウント開始点３１が設定されている。そして設定カウント値として０．３０秒を設定しており、この設定カウント値としての０．３０秒をカウントアップした後に射出装置の射出が行なわれるように設けられている。なお、射出時間自体は短くなっているものではなく従来と同様であって、射出装置の射出は射出型の高圧の型締め力に切り換えられた後にも継続して行なわれる。
【００６７】
（冷却工程）
上記溶融樹脂の送り出し工程が終了すれば冷却工程に移行し、この冷却工程で高圧で型締めされた射出型に射出された溶融樹脂を予め設定された時間の間、強制冷却し、所定温度まで温度が下がったプリフォームを得る。
【００６８】
（上型下型の型開き工程  図８）
冷却工程が終了すれば上型下型の型開き工程に移行する。この型開き工程では、図８に示すように型締装置１３からの高圧の型締め力の付与が型締板１４の上昇によって解除される。そして上型１２が上昇するとともに回転板６及びリップ型５が上昇して型開きが行なわれる。プリフォームは下型１１から離型し、このプリフォームの口部をリップ型５で保持している回転板６が回転を行なえる所定位置までに上昇し、停止する。
【００６９】
（延伸ブロー部の動作）
（ブロー型の型締め工程  図９）
射出成形部８での上記上型下型の型開き工程が終了すれば、回転板６自体は上記回転板の回転工程に入って１２０度の回転が行われ、プリフォームの口部を保持している上記リップ型５が延伸ブロー成形部に向けて旋回移動する。そして延伸ブロー成形部９では回転板の回転工程中に、図９に示すように対のブロー型１６が底型３２の上で合うようにブロー型締シリンダによる型締め力を付加した型締めの動作が開始され、対のブロー型１６が進み出るように移動して底型３２の上で合致する動きは回転板の回転工程中に完了する。ブロー型締シリンダによる型締め力の付加は型を合わせた後も継続する。
【００７０】
上述したように延伸ブロー成形部９においてブロー型１６と底型３２とを組み終わった時点でも回転板６は１２０度回転の途中となっている。射出成形部８において次のリップ型５がその射出成形部８に対応位置して回転板６の回転が停止され、回転板６の位置が固定されたときにおいても、回転板自体が上方位置にあるため、延伸ブロー成形部９では、リップ型５に保持されたプリフォームはブロー型１６の上方に待機した状態にある。そして、射出成形部８において上型とリップ型と下型とを型締めするときの回転板の下降によって、延伸ブロー成形部９に対応位置するリップ型５がブロー型１６に上方から組み合わされる。
【００７１】
プリフォームをブロー型内に入るようにリップ型５がブロー型１６に組まれると、ブロー型１６に加えられている型締め力がブロー型締シリンダ１７の動作により高圧の型締め力に切り換わる。この高圧の型締め力への切り換えは、射出成形部８での型締め力を高圧の型締め力に切り換えるときと同時とされている。
【００７２】
（延伸ブロー工程  図１０）
ブロー型１６に対して高圧の型締め力に切り換えられた時点で上記ブロー型の型締め工程が終了し、プリフォームに対する延伸とブローとを行なう延伸ブロー工程に移る。図１０に示すように延伸ブロー工程では、リップ型の上方から延伸ブロー機構３３がリップ型５の上に下降して重なり、延伸ブロー機構３３での延伸ロッド３４がブロー型内に進み出てブロー型内にあるプリフォーム３５を延伸するとともに、ブローエア供給３６を行ない、ブロー型内に延伸ブローされた製品形状の容器を形成する。そして所要時間後に延伸ブローエア供給が停止するとともに前記延伸ロッド３４が引き上げられて延伸ブロー機構３３が上方の待機位置まで上昇し、またブロー型内の容器内からブローエアを排出するブローエア排気３７を所定時間行なって、延伸ブロー工程が完了する。
【００７３】
（ブロー型の型開き工程  図１１）
延伸ブロー工程が完了するとブロー型の型開き工程に移る。このブロー型の型開き工程では、上記ブロー型締シリンダ１７の動作にてまず型締め力を解除し、ブロー型１６を開いて容器が離型できるようにする。このブロー型の型開きは、上記射出成形部８で射出が終了する前に行なわれる。そして、回転板６が上昇することで延伸ブロー成形済みの容器をリップ型５が保持した状態で上昇し、ブロー型１６から容器を離型させる。このときの回転板６の上昇は射出成形部８における上型下型開きで回転板６が上昇するときと同じである。
【００７４】
延伸ブロー成形部で容器をリップ型で引き上げて離型させた回転板６は、上記射出成形部８での上型下型開きの段階が終了することで再び１２０度回転する。射出成形部での工程長さが長いため、延伸ブロー成形部から取出部へとリップ型を移動させる動作は、射出成形部８での上型下型開きの段階が終了を待つ。勿論、この１２０度回転は取出部１０に対応していたリップ型が射出成形部８に向けて旋回移動する動作、また射出成形部８に対応していたリップ型が延伸ブロー成形部９に向けてプリフォームを保持しながら旋回移動する動作でもある。なお、延伸ブロー工程でのブロー型の動きを示す図において説明を容易にするため、リップ型を省略した状態でブロー型の動きが図示されている。
【００７５】
（取出部の取出工程）
回転板６が１２０度回転して停止することで、上記延伸ブロー成形済みの容器を保持しているリップ型５が取出部１０に対応位置する。そして射出成形部８での動作を例として挙げれば、上記上型下型の型締めを完了してから高圧の型締め力に切り換える時点などで、この取出部１０でのリップ型５を型開きさせ、保持していたボトル状容器の口部を離型させてこの容器の取り出し（成形機外への送り出し）を行なうものとなっている。
【００７６】
上記実施の形態にあっては、上型と下型との型締めが開始される段階にカウント開始点３１が設定され、そして設定カウント値を０．３０秒として、この設定カウント値としての０．３０秒をカウントアップした後に射出装置の射出が行なわれるようにしたものを例示したが、本発明はこの実施形態に限定されるものではない。
【符号の説明】
【００７７】
１…射出延伸ブロー成形機
４…中間基盤
５…リップ型
６…回転板
８…射出成形部
９…延伸ブロー成形部
１０…取出部
１１…下型
１２…上型
１３…型締装置
１４…型締板
１５…射出型
１６…ブロー型
１９…ホットランナー装置
２０…射出装置
２３…ノズル
２５…メインノズル
２６…連結フランジ
２７…ホットランナーノズル
２８…回転板ロックシリンダ
２９…ロックピン
３１…カウント開始点
３２…底型
３４…延伸ロッド
３５…プリフォーム
３６…ブローエア供給
３７…ブローエア排気
Ａ…カウントアップの時間
Ｂ…射出
Ｃ…溶融樹脂の送り出し工程
Ｄ…上型下型の型締め工程
Ｅ…回転板の固定工程
Ｆ…回転板の回転工程
【図１】
0006552890.tif 000002
【図２】
0006552890.tif 000003
【図３】
0006552890.tif 000004
【図４】
0006552890.tif 000005
【図５】
0006552890.tif 000006
【図６】
0006552890.tif 000007
【図７】
0006552890.tif 000008
【図８】
0006552890.tif 000009
【図９】
0006552890.tif 000010
【図１０】
0006552890.tif 000011
【図１１】
0006552890.tif 000012
【図１２】
0006552890.tif 000013
【図１３】
0006552890.tif 000014
【図１４】
0006552890.tif 000015
【図１５】
0006552890.tif 000016